(57)【要約】      （修正有）【課題】上半身を被覆整容するハーフトップにおいて、スキニータイプの製品の如く可及的に縫目を少なくし肌への当たりをソフトにすると同時に整形効果を上げることが出来るようにする。【解決手段】筒状に編成された編地を偏平に折り畳み、その一面を前身頃とし他面を後身頃とし、各身頃下端部を折り返し編地端部をかがり付けて身頃裾部とし、前後身頃の両側上部に延びる帯状体の端部を同側同志一体に結合して左右の肩掛とし、肩掛間を前後の襟刳りと袖刳りとし、筒状編地による前身頃内面に重ねて内層生地を、襟刳りと袖刳りと身頃裾部とにおいて一体に取り付け、身頃と内層との間をバストパッド挾持用空間とし、内層生地の中央には、内層生地を緊締状態に緊縮する緊縮組織を配し、その組織の左右にはバストパッドの形状に添える伸縮性を有する生地を、その外側には伸縮性の少ない生地を配した。【選択図】図１
0003137385.tif 000002
【実用新案登録請求の範囲】
【請求項１】
筒状に編成された編地を偏平に折り畳み、その一面を前身頃とし他面を後身頃とし、各身頃下端部を折り返し編地端部をかがり付けて身頃裾部とし、前後身頃の両側上部に延びる帯状体の端部を同側同志一体に結合して左右の肩掛とし、肩掛間を前後の襟刳りと袖刳りとし、筒状編地による前身頃内面に重ねて内層生地を、襟刳りと袖刳りと身頃裾部とにおいて一体に取り付け、身頃と内層との間をバストパッド挾持用空間とし、内層生地の中央には、内層生地を緊締状態に緊縮する緊縮組織を配し、その組織の左右にはバストパッドの形状に添える伸縮性を有する編地を配し、更にその外側には伸縮性の少ない生地を配し、筒状編地と内層生地とでバストパッドを挾持してなるハーフトップ。
【請求項２】
筒状編地の前身頃の、バストカップ挾持用空間両側の肩掛紐に続く位置の生地に組織による柄を配置したことを特徴とする請求項１記載のハーフトップ。
【請求項３】
後身頃生地内に、帯状に延びる左右両肩掛に続く緊縮性を有する組織を後身頃中央においてＸ字状にクロスさせて配したことを特徴とする請求項１記載のハーフトップ。
【考案の詳細な説明】
【技術分野】
【０００１】
本考案は、上半身の整形を目的として使用し、着用時縫目等が顕著に現れることなく、かつ、保形性に秀れたハーフトップに関する。
【背景技術】
【０００２】
従来、婦人用衣料とし上半身の整形を目的にハーフトップが使用されている。ハーフトップは胸部，背部をカバーし型紐肩掛等で着装されるが、特に胸部の形を良好に保つために前身頃の生地を形成し或いは内層する円  形のカップ部を構成するために各部の生地を裁断縫製し或いは、所定の形を保つようにボーンを挿入する等の手段を講じることが行なわれている（特許文献１，２）。
【０００３】
然しながらカップ部及びその周囲の形状を希望の形に形成するためにカップ部の素材を裁断縫製すると縫合線に沿って生地の感触の異なる部分が生じ柔軟性，着用感等が悪く、また、下着の縫い目がアウターに影響する原因ともなっている。
【特許文献１】特開２００１−２０７３０５号公報
【特許文献２】実用新案登録第３１０１６２１号公報
【考案の開示】
【考案が解決しようとする課題】
【０００４】
本考案は、上半身を被覆整容するハーフトップにおいて、スキニータイプの製品の如く可及的に縫目を少なくし肌への当たりをソフトにすると同時に整形効果を上げることが出来るハーフトップを得ることを目的とする。
また、縫い目を単純に排除すると胸が潰れて高さがない為、編地変化で保形性を出すことも目的としている。
更には、下着の縫目を少なくすることによって、下着の縫目がアウターに映ることも無いようにしている。
【課題を解決するための手段】
【０００５】
本考案ハーフトップは、筒状に編成された編地を偏平に折り畳み、その一面を前身頃とし他面を後身頃とし、各身頃下端部を折り返し編地端部をかがり付けて身頃裾部とし、前後身頃の両側上部に延びる帯状体の端部を同側同志一体に結合して左右の肩掛とし、肩掛間を前後の襟刳りと袖刳りとし、筒状編地による前身頃内面に重ねて内層生地を、襟刳りと袖刳りと身頃裾部とにおいて一体に取り付け、身頃と内層との間をバストパッド挾持用空間とし、内層生地の中央には、内層生地を緊締状態に緊縮する緊縮組織を配し、その組織の左右にはバストパッドの形状に添える伸縮性を有する生地を配し、更にその外側には伸縮性の少ない生地を配し、筒状編地と内層生地とでバストパッドを挾持した。そして、後身頃生地内に、帯状に延びる左右両肩掛に続く緊縮性を有する組織を後身頃中央においてＸ字状にクロスさせて配することによって着用時の保形性を高めている。
【考案の効果】
【０００６】
本考案のハーフトップは、筒状に編成された編地を偏平に折り畳み、その一面を前身頃とし他面を後身頃とし、各身頃下端縁を折り返し、編地端部をかがり付け、身頃裾部とし、前記筒状編地の前身頃内面に、バストパッド支持用の内層生地を重ね、襟刳りと袖刳りと身頃裾部とにおいて一体に取り付け両布地間をバストパッド挾持用空間とし、該空間にバストパッドを挿入しているから、前後身頃の裾部のかがり付け部と、襟刳り部と袖刳り部とのみしか表面からは縫い目等の現れる部分は見えず、着用者にとっても縫目等が身体に当たって着用感を損なうということも生じない。
【０００７】
また、内層生地にあっては、バストパッドを挾持する部位のバストパッド挾持用空間を構成する編地組織よりも、その両側の部位の編地組織を緊締力の有るものとしているために、脇をホールドして胸が脇に流れず高さを維持でき、保形性に優れ、かつ、前身頃生地と内層生地との間に収容されたバストパッドは両側の緊締力の有る組織の生地に周囲を押さえられて前身頃生地と、内層生地との間で妄動するようなことはなく安定した状態を保つことが出来る。
【０００８】
更に、本考案ハーフトップを洗濯しようとするときなど、バストパッドは内層生地と前身頃生地とが縫合されていない内層生地の側端縁のバストパッド挿入口２２から出し入れすることが出来る。
【考案を実施するための最良の形態】
【０００９】
本考案ハーフトップを図面と共に次に説明する。
図１は本考案ハーフトップの正面図、図２は図１のＡ−Ａ線切断端面図、図３は同背面図、図４は前身頃の内面に重ねる内層生地の展開図、図５は本考案ハーフトップを展開した状態の内面図である。
【００１０】
本考案ハーフトップ１は、筒状に編成された編地２を偏平に折り畳み、その一面を前身頃３とし他面を後身頃４とし、各身頃３，４の下端の編地を折り返して編地端部をかがり付け５し身頃裾部６を形成している。
【００１１】
筒状編地２による前身頃３には前襟刳り７及びその両サイドに帯状体８，９を設ける。筒状編地２による後身頃４には後襟刳り１０及びその両サイドに帯状体１１，１２を設け、帯状体８，１１の端部同志及び帯状体９，１２の端部同志をかがり付け１３して肩掛１４，１５とする。そして、帯状体８，１１の間に左袖刳り１６を、帯状体９，１２の間に右袖刳り１７を形成する。
【００１２】
前身頃３の内面には内層生地２０を積層状態に重ね、身頃裾部６のかがり付け５，前襟刳り７，左右袖刳り１６，１７の位置で両者は一体に綴じ合わされ、それ以外の部位では両者は固定されていない。
【００１３】
内層生地２０は帯状体８，９及び身頃裾部６を除いた前身頃３の生地と同様の形状をなし、この構成によって、筒状編地２と内層生地２０との間にバストパッド挾持用空間２４が作られ、左右の袖刳り１６，１７のそれぞれと身頃裾部６との間にわたって前身頃３の筒状編地２と内層生地２０との間に、バストパッド挾持用空間２４にバストパッド２１を挿入するためのバストパッドの挿入口２２が作られる。
【００１４】
前身頃３の内層生地２０の中央位置には前述の如く縦位置に短冊形に周囲に比して若干緊締状態を呈する緊締組織２３が配され、また、内層生地２０の両側端の肩掛１４，１５の基部付近から左右袖刳り１６，１７の下部にかけての部分も緊締力を強くした緊締組織の編地２５とし、それら各部において緊締組織の編地２５が縮小することによりその左右のバストパッド２１に当面する部位の内層生地を椀状に屈折し、該生地でバストパッド２１をカバーすることでバストパッド２１の動きを止めバストパッド２１を所定位置に不動状態に制止させることになる。
【００１５】
前身頃３を構成する筒状編地２の、肩掛１４，１５の下部の、図１に一点鎖線Ｌ１，Ｌ２で示すバストパッド２５の側部位置に、筒状編地２の編組織を変化させることで適宜の図柄を発現させて審美感を高めることも行なえる。
筒状編地２の後身頃４を構成する編地内において左右肩掛１４，１５の延長方向上に帯状に延びる組織を筒状編地より耐伸張性を有する組織２６とし、後身頃中央位置においてＸ字状にクロスさせている。
【００１６】
上記構成により、本考案ハーフトップ１は、筒状編地２を偏平に折り畳んで前身頃３及び後身頃４とし、前身頃３の前襟刳り７と袖刳り１６，１７と身頃裾部６とのみで固定され内層生地２０を前身頃３に積層し内層生地でバストパッド２１を支持しているために、前身頃３の編地の外見において、縫合線は身頃周縁の襟刳り線７，１０、袖刳り線１６，１７、身頃裾部のかがり付け５の線のみであって、着用時に各部の縫合線による着用感，外観の劣化を惹起することがない。
【００１７】
また、バストパッド挾持用空間２４内のバストパッド２１は、前記空間２４を構成する前身頃３の編地と内層編地２０において、バストパッド２１を囲む範囲の編地の組織の緊締力により所定の位置に保持される。
【産業上の利用可能性】
【００１８】
本考案のハーフトップは、前身頃，後身頃を筒状編地で連続して編成してあり、バストパッドを支承する手段として前身頃内面に内層生地を重ね合わせ、内層生地を袖刳り部，身頃裾部，かがり付け部分等の生地外周縁部分のみで一体化しているために、生地の縫製部位が身頃表面に出ることがなく、生地の動きを阻害することもなく、着用感に優れスキニータイプとしての外観も得られ、かつ、安定してバストパッドを支持出来る使用感，審美感に秀れたハーフトップである。
【図面の簡単な説明】
【００１９】
【図１】本考案ハーフトップの正面図。
【図２】図１のＡ−Ａ線切断端面図。
【図３】同背面図。
【図４】前見頃の内面に積層する内層生地の展開図。
【図５】本考案ハーフトップを展開した状態の内面。
【符号の説明】
【００２０】
１  ハーフトップ
２  筒状編地
３  前身頃
４  後身頃
５  かがり付け
６  身頃裾部
７  前襟刳り
８，９，１１，１２  帯状体
１０  後襟刳り
１３  かがり付け
１４，１５  肩掛
１６  左袖刳り
１７  右袖刳り
２０  内層生地
２１  バストパッド
２２  バストパッド挿入口
２３，２５  緊締組織の編地
２４  バストパッド挾持用空間
２６  耐伸縮性を有する組織
【図１】
0003137385.tif 000003
【図２】
0003137385.tif 000004
【図３】
0003137385.tif 000005
【図４】
0003137385.tif 000006
【図５】
0003137385.tif 000007